(57)【要約】【課題】射出成形材料の流れや圧力を低減する過剰充填の問題を解決する。【解決手段】全閉位置と開放位置の間を移動可能なピンバルブ（７）を有する少なくとも１つの射出器（３、４）に接続される圧力流体樹脂材料の分配器（２）を備えた成形装置によって金型のキャビティ内に樹脂材料を射出成形する方法。その方法は、全閉位置から開放位置にピンバルブ（７）を移動させた後の充填工程と、開放位置にピンバルブ（７）を維持する圧力流体樹脂材料の封止工程と、全閉の前に少なくとも１つの部分閉鎖中間位置にピンバルブ（７）を移動させて維持する工程と、を備える。【選択図】図３
2015178273.tif 000002
【特許請求の範囲】
【請求項１】
全閉位置と開放位置の間で移動可能なピンバルブ（７）を有する少なくとも１つの射出器（３、４）に接続された圧力流体樹脂材料の分配器（２）を備えた成形装置により金型キャビティ内に樹脂材料を射出成形する方法であって、
前記ピンバルブ（７）を全閉位置から開放位置に移動させた後、前記金型キャビティ内に樹脂材料を充填する充填工程と、
前記ピンバルブ（７）を、開放位置に維持した後、開放位置から全閉位置に移動させる間、前記金型キャビティ内に樹脂材料を加圧する封止工程と、
を備え、
前記ピンバルブ（７）は、少なくとも１つの部分閉鎖中間位置に移動して維持される追加工程を含むことを特徴とする射出成形方法。
【請求項２】
前記追加工程は、前記封止工程中に実行することを特徴とする請求項１に記載の射出成形方法。
【請求項３】
前記追加工程は、前記充填工程の終了までに実行することを特徴とする請求項１に記載の射出成形方法。
【請求項４】
前記追加工程は、前記充填工程と前記封止工程の間に実行することを特徴とする請求項１に記載の射出成形方法。
【請求項５】
前記追加工程は、前記充填工程の初期から経過した時間の関数として実行することを特徴とする前記請求項のいずれか１項に記載の射出成形方法。
【請求項６】
前記追加工程は、前記充填工程の初期から射出される樹脂材料の体積の関数として実行することを特徴とする請求項１から４のいずれか１項に記載の射出成形方法。
【請求項７】
前記中間位置は単一であることを特徴とする前記請求項のいずれか１項に記載の射出成形方法。
【請求項８】
幾つかの中間位置を設けたことを特徴とする請求項１から６のいずれか１項に記載の射出成形方法。
【請求項９】
前記ピンバルブ（７）の少なくとも１つの中間位置と全閉位置の間の距離は０．１から５ｍｍであることを特徴とする前記請求項のいずれか１項に記載の射出成形方法。
【請求項１０】
前記成形装置は、金型キャビティの略中心領域と１以上の略周辺領域とにそれぞれ配置される多数の第１及び第２射出器（３、４）を備え、前記充填工程は、前記第１射出器（３）のピンバルブ（７）が全閉位置から第２射出器（４）のピンバルブ（７）の前の開放位置に移動するように、第１及び第２射出器（３、４）を順次制御することにより実行し、前記金型キャビティは前記略中心領域から前記略周辺領域に向かって漸次充填される射出成形方法であって、
前記追加工程は第１射出器（３）のピンバルブ（７）のために実行されることを特徴とする射出成形方法。
【請求項１１】
前記金型キャビティ内の圧力検出に基づいて制御することを特徴とする前記請求項のいずれか１項に記載の射出成形方法。
【発明の詳細な説明】
【技術分野】
【０００１】
本発明は、全閉位置と開放位置に配置可能なピンバルブを備えた少なくとも１つの射出器に接続され、圧縮流体樹脂材料の分配器を備えた金型装置によって、樹脂材料を金型のキャビティ内に射出成形する射出成形方法に関する。
【背景技術】
【０００２】
一般に、このような射出成形方法は、キャビティ内に圧縮樹脂材料を充填する封止工程に続いて、開放位置に維持されているピンバルブの配置を全閉位置から開放位置とした後、金型キャビティに樹脂材料を充填する工程を備える。そしてピンバルブは、開放位置から全閉位置に移動され、待機時間の後、樹脂材料を凝固させ、成形品が金型から取り出される。
【０００３】
高品質が要求される射出成形品のために、機械的な輪郭に関して、例えば、特に大きな車両要素の場合の美的観点から、成形装置は通常、金型の異なる領域で供給されるある数の射出器を使用する。これらの射出器が、一般に金型キャビティの中心領域に配置される、単一の分配装置から供給される場合、中央の射出器すなわち第１射出器に隣接するキャビティ領域と、周辺の射出器すなわち第２射出器に対応するキャビティ領域との間で、注入される樹脂材料の圧力及び密度には顕著な相違が発生し得る。このため、これらの場合、カスケードインジェクションが利用され、金型キャビティへの充填工程が、中央領域から周辺領域に向かって連続的に金型キャビティに充填されるように、異なる射出器のピンバルブの開放を順次命令することにより、もっと正確に言えば、第１射出器を開放した後、第２射出器を開放することにより行われる。この場合、第１射出器のピンバルブを、射出サイクルの全体に亘って開放状態に維持させるか、あるいは、閉鎖位置に位置決めして、順次第２射出器のピンバルブを開放させることができる。このように、金型キャビティの充填初期段階が改良され、キャビティの初期充填領域での樹脂材料によって発生する局部圧力が軽減される。
【０００４】
特に、この種の連続的な注入の場合、充填工程に続く封止工程は、種々の射出器とキャビティの異なる領域との間で釣り合わなければならず、キャビティの幾つかはより多くの樹脂材料を充填され、他はより少なくなるかもしれない。一般に、不均衡と過剰充填により、成形品の歪の問題、機械特性の必然的な低下を伴う張力、厚さの局部的な増大、ときには成形工程中の繊維化と破損がもたらされる。
【０００５】
低頻度ではあるが、同様な問題は、寸法が一連の手順を必要とすることが必須でないような射出成形品にも起こり得る。
【発明の概要】
【発明が解決しようとする課題】
【０００６】
本発明の目的は、この問題がそれ自身に現れる射出成形材料の流れや圧力を低減する過剰充填の問題を解決することである。
【課題を解決するための手段】
【０００７】
本発明によれば、この問題は、請求項１の前段に記載したタイプの射出成形方法によって解決され、その独特の特徴は、部分閉鎖の少なくとも１つの中間位置で、前述の少なくとも１つの射出器のピンバルブの配置と位置の追加工程を含む。
【０００８】
この部分閉鎖の追加工程は、充填工程の終わりに向かって、あるいは、封止工程中、あるいは、充填工程と封止工程の間でさえも行われる。
【０００９】
特に、この解決方法により、連続射出成形の場合だけでなく、金型キャビティ内の樹脂材料の圧力及び分配を最適に保つことが可能である。
【００１０】
ピンバルブの部分閉鎖は１箇所以上とすることでき、充填工程の初期から経過した時間の関数として、あるいは、充填工程の初期から充填された樹脂材料の量の関数として実行することができる。一般に、部分閉鎖位置と完全閉鎖位置の間でのピンバルブのストロークは、０．１から５ｍｍとすることができる。
【図面の簡単な説明】
【００１１】
【図１】本発明に係る成形方法が基本的に図示された装置で実行される樹脂成形品の例を示す。
【図２】成形装置の詳細を示す部分断面図である。
【図３】成形方法の各連続工程中での図２の詳細拡大図を示す。
【図４】成形方法の各連続工程中での図２の詳細拡大図を示す。
【図５】成形方法の各連続工程中での図２の詳細拡大図を示す。
【図６】成形方法の各連続工程中での図２の詳細拡大図を示す。
【図７】図１の成形品において、本発明に係る方法から得られた結果の例を示す。
【図８】図１の成形品において、本発明に係る方法から得られた結果の例を示す。
【図９】図１の成形品において、本発明に係る方法から得られた結果の例を示す。
【図１０】図１の成形品において、本発明に係る方法から得られた結果の例を示す。
【図１１】図１の成形品において、本発明に係る方法から得られた結果の例を示す。
【図１２】図１の成形品において、本発明に係る方法から得られた結果の例を示す。
【発明を実施するための形態】
【００１２】
図１は、樹脂成形品を示し、本発明に係るその成形方法は次のような特有の効果を奏する。すなわち、それは自動車のバンパーＰであり、優れた美的価値を得るために、厚さ（２〜３ｍｍ）に対して相対的に大きな寸法（１２００〜１５００ｍｍの長さ）と、大きな平均重量（一般に１２００〜１５００ｇ以上）と、車の視認可能な位置からの高い美的価値と、塗装等のその後の全ての工程に必要とされるものとを有しており、審美性の表面欠陥や成形中の変形によって起こる樹脂材料の化学的／物理的性状の局所的な欠陥のない高品質の樹脂支持部が要求される。本発明に係る方法が有効である他の製品は、例えば、自動車分野において、ポリカーボネートやポリアセチル・メタクリル樹脂等の工業的に粘性のある樹脂材料によって形成されたパネルで構成してもよく、その結果、射出圧は非常に高い値に到達する。
【００１３】
図１を参照すると、一般に製品Ｐの製造に使用される射出成形装置が図示されている。可塑化ユニット１は樹脂材料を変化させ、複数の射出器３、４から単一のホットランナ分配システム２を介して図示しない金型キャビティ内に射出する。射出器３は、金型の略中心の射出路に配置される一方、射出器４は周辺の射出路に配置される。
【００１４】
図２は、ホットチャンバ２に接続された射出器３（又は４）の１つを示す略図である。すなわちそれは、全体としては従来の手法でノズル５を備え、ノズル５の自由端にはノズル基端６が設けられ、ノズル基端６の開閉は、図３及び図６に示す全閉位置と、図４に示す全開位置との間で、流体又は電動アクチュエータ８によってノズル５に沿って軸方向に移動可能なピンバルブ７で制御される。
【００１５】
一般に、各射出器３、４によって作動する成形サイクルには、ピンバルブ７の全閉位置（図３）から始まり、充填工程中、ホットチャンバ２から金型キャビティ内に樹脂材料を流動可能とするピンバルブ７の開放（図４）が含まれる。
【００１６】
その開放は、図４に高さＦＯで示されるように完了、又は、高さＳで示すように殆ど完了とすることができる。
【００１７】
この工程では、射出成形樹脂材料の圧力は増大し、金型キャビティは、樹脂材料の速さ／流れを制御可能な状態で、９５〜９９％に充填される。
【００１８】
充填工程は、維持又は封止工程へと続き、ピンバルブ７はその充填を安定させるために、全開又は殆ど全開位置に維持され、射出成形材料は、短時間（通常、５〜１０秒）の間圧力を維持され、所定の圧力形状となる。この工程は、樹脂材料が流体状態から固体状態に自然収縮（０．５〜１％）することを補償し、成形品の各領域が溶融状態でさえ、コア内の十分な圧力下で冷却されることを確実にするように作用する。
【００１９】
射出ポイントに近い領域での射出成形材料には、中心でより大きな圧力が作用するが、その圧力は射出ポイントから離れるに従って小さくなる。さらに、他の領域よりも開放時間が長くなる射出ポイントに近い領域や、ホットチャンバ２の中心により近い領域でも圧力が相違している。より圧力が大きい領域は「過剰封止」、又は、むしろより大きな局所密度を示し、体積の収縮がより少なく、その結果、成形品の変形が必然的に起こる。逆に、十分に封止されていない領域は低密度で、より大きく収縮し、その結果、成形品に接触しやすくなり、又この場合、成形品を変形させる。これら２つの状況は、図７、８及び図９、１０にそれぞれ図示されている。すなわち、図７及び図９は、全ての射出器３、４の開放状態と、中心の射出器３の全閉状態のそれぞれで、射出成形材料の密度変化の定性表現として成形品の前面を示す。
【００２０】
図８及び図９は、点線で図示された理論上の形状に対して、変形を連続線で強調した成形品Ｐの平面図を示す。第１の場合（図８）、成形品Ｐは、中央領域での樹脂材料の過剰封止により、中央部でより明瞭に湾曲し、封止不足により端部でより不明瞭に湾曲する。第２の場合（図１０）、成形品Ｐの中心領域では、不十分な封止により窪んですらいる。
【００２１】
図１１及び図１２は、図７、８及び図９、１０と同様な図形で、本発明に係る成形方法の特徴に対応する状態を表示する。すなわち、充填工程の終盤に向かって、あるいは、充填工程と封止工程の間、あるいは、封止工程の途中でさえ、成形品Ｐの中心領域に対応する射出器３のピンバルブ７は、図４の開放位置から図５に示す部分閉鎖位置まで移動される。この工程では、射出器３のピンバルブ７は、部分閉鎖位置に維持され、周辺の射出器４のピンバルブ７は、金型キャビティ内の異なる領域での圧力を調整することにより、全開又は部分開放位置に留まる。
【００２２】
この部分閉鎖中間位置は、ピンバルブ７が完全閉鎖位置へと徐々に接近する部分閉鎖位置に十分に移動可能であるという意味で、単一又は多数であり得るが、その位置では、ノズル端部６の上流側圧力は下流側圧力、すなわち金型キャビティの対応する領域内の圧力よりも大きい。この圧力の違いは、過剰封止を排除して金型キャビティのこれらの領域での射出樹脂材料のより低い局部密度を決定する。言い換えれば、その完全な再閉鎖に先立つ（図６に示され、射出サイクルの終盤に対応する）ピンバルブの半閉鎖中間位置により、キャビティ内でのよりよい圧力バランスと材料の分配とが得られる結果、金型キャビティ内での樹脂材料の圧力及び密度はより均一になる。このように、前記工程の終盤で成形された成形品Ｐは、理論設計に本質的に対応する構造を有する（図１２）。
【００２３】
なお、部分閉鎖中間位置でのピンバルブ７の移動及び維持の追加工程は、一般に、操作可能にアクチュエータを接続された、図示しない電子制御ユニットによって、充填工程の初期から経過した時間の関数として、あるいは、充填工程の初期から射出樹脂材料の容量の関数として実行される。
【００２４】
例えば、図５の部分閉鎖位置から図６の全閉位置までのピンバルブ７の端部の距離は０．１から５ｍｍであればよい。
【００２５】
設定するパラメータとピンバルブの閉鎖ストロークを改良して円滑にするために、圧力センサ（それらは当業者の範囲であるので図示せず）が、射出ポイントに隣接するポイント及び離れたポイントで、適宜、金型キャビティ内に組み込まれ、圧力傾向を検出し、その結果、電子制御ユニットによって圧力が調整される。これに代えて、最適の成形条件が、理論形式から局所偏差を測定するように構成された測定テンプレートの助けにより識別可能である。
【００２６】
なお、本発明は連続成形方法について記載されているが、非連続成形工程に採用することができ、改良された機械的特徴及び審美的品質を有する成形品を製造する全ての場合に有効である。
【符号の説明】
【００２７】
１…可塑化ユニット
２…ホットチャンバ（ホットランナ分配システム）
３、４…射出器
５…ノズル
６…ノズル基端
７…ピンバルブ
８…電動アクチュエータ
Ｐ…成形品
【図１】
2015178273.tif 000003
【図２】
2015178273.tif 000004
【図３】
2015178273.tif 000005
【図４】
2015178273.tif 000006
【図５】
2015178273.tif 000007
【図６】
2015178273.tif 000008
【図７】
2015178273.tif 000009
【図８】
2015178273.tif 000010
【図９】
2015178273.tif 000011
【図１０】
2015178273.tif 000012
【図１１】
2015178273.tif 000013
【図１２】
2015178273.tif 000014
【外国語明細書】
2015178273.tif 000015
2015178273.tif 000016
2015178273.tif 000017
2015178273.tif 000018
2015178273.tif 000019
2015178273.tif 000020
2015178273.tif 000021
2015178273.tif 000022
2015178273.tif 000023
2015178273.tif 000024
2015178273.tif 000025
2015178273.tif 000026
2015178273.tif 000027
2015178273.tif 000028